(57)【要約】【課題】アース板をフランジ部材に固定して感光体ドラムのフレを抑制することが可能なドラムユニット、およびそれを備えた画像形成装置を提供する。【解決手段】ドラムユニット２０は、感光体ドラム３０と、ドラムシャフト７０と、感光体ドラム３０およびドラムシャフト７０を一体回転可能に支持する支持部材４０と、アース板５０とを含む。支持部材４０の取付部４６には、アース板５０を位置決めするための位置決め突起４２と、アース板５０を回り止めするための回り止め突起４９とが形成されている。アース板５０は、位置決め突起４２が挿通される位置決め孔６５と、回り止め突起４９が挿通される回り止め孔６７と、回り止め孔６７の縁部から回り止め突起４９に向かって傾斜して延び、その端部８２ａが回り止め突起４９に当接することで、回り止め突起４９を回り止め孔６７に固定する固定部材８０とを有する。【選択図】図４
2011197541.tif 000002
【特許請求の範囲】
【請求項１】
筒状の感光体ドラムと、
前記感光体ドラムに挿通されたドラムシャフトと、
前記感光体ドラムの端部に嵌入可能な形状を有し、前記感光体ドラムが前記ドラムシャフトと一体回転するように前記感光体ドラムおよび前記ドラムシャフトを支持する支持部材と、
前記支持部材における前記感光体ドラムの内部に向く取付部に取り付けられ、前記感光体ドラムと前記ドラムシャフトとを電気的に接続するアース板と、
を備え、
前記支持部材の前記取付部には、前記アース板を位置決めするための位置決め突起と、前記位置決め突起の周囲に位置し、前記アース板を回り止めするための回り止め突起とが形成されており、
前記アース板は、前記位置決め突起が挿通される位置決め孔と、前記回り止め突起が挿通される回り止め孔と、前記回り止め孔の縁部から前記回り止め突起に向かって傾斜して延び、その端部が前記回り止め突起に当接することで、前記回り止め突起を前記回り止め孔に固定する固定部材とを有するドラムユニット。
【請求項２】
請求項１に記載のドラムユニットにおいて、前記アース板は、前記取付部に取り付けられると共に、前記位置決め孔および前記回り止め孔を有する可撓性のアース板本体を有し、
前記固定部材は、前記アース板本体に切れ目を入れて形成した一対の係止片であり、
各係止片は、前記アース板本体と繋がった基端部と、前記基端部に対して持ち上げ可能な遊端部とを有しており、
一方の係止片の遊端部と他方の係止片の遊端部とは、互いに対向しており、
前記回り止め突起は、持ち上げられた状態の一方の前記遊端部と、持ち上げられた状態の他方の前記遊端部との間で、一方の前記遊端部および他方の前記遊端部が前記基端部と略同一の平面レベルに戻ろうとする復帰力によって挟まれているドラムユニット。
【請求項３】
請求項２に記載のドラムユニットにおいて、前記アース板本体は、前記感光体ドラムの内周面に接触しない程度の寸法に設定された外周部を有しており、
前記外周部には、該外周部から外方に突出して前記感光体ドラムの前記内周面に接触する爪部が突設されているドラムユニット。
【請求項４】
トナー像が形成される感光体ドラムを有するドラムユニットと、
前記感光体ドラムにトナーを供給して該感光体ドラム上に前記トナー像を形成する現像装置と、
を備え、
前記ドラムユニットとして、請求項１〜３のいずれか一項に記載のドラムユニットが用いられている画像形成装置。
【発明の詳細な説明】
【技術分野】
【０００１】
本発明は、トナー像が形成される感光体ドラムを有するドラムユニット、およびそれを備えた画像形成装置に関する。
【背景技術】
【０００２】
複写機、プリンタ、ファクシミリ等の画像形成装置は、画像データに基づく光照射によって静電潜像が形成される感光体ドラムと、感光体ドラム上の静電潜像にトナーを供給してトナー像を形成する現像装置と、感光体ドラム上のトナー像を用紙上に転写する転写部とを含む。感光体ドラムは、他の構成要素と共にユニット化されて、ドラムユニットが形成されている。
【０００３】
ドラムユニットとして、特許文献１のものが知られている。特許文献１のドラムユニットは、感光体ドラムと、感光体ドラムの端部開口に嵌入されるフランジ部材と、フランジ部材における感光体ドラムの内部に向く取付面に取り付けられたアース板と、感光体ドラムと同軸でフランジ部材を貫通するドラムシャフトとを含む。アース板は感光体ドラムとドラムシャフトとを電気的に接続している。
【０００４】
フランジ部材には、ドラムシャフトが挿通される挿通孔が形成されている。また、フランジ部材の取付面には、挿通孔と同軸に設定されたボスと、ボスを挟んで対向する一対の突起とが形成されている。アース板は、ボスに対応するボス孔と、一対の突起に対応する突起孔とを有する。アース板は、ボス孔にボスが挿通されることで位置決めがなされると共に、突起孔に突起が挿通されることで回り止めがなされている。このようにしてアース板を取り付けることで、アース板を感光体ドラムの内周面に接触させ、感光体ドラムをアースしている。
【先行技術文献】
【特許文献】
【０００５】
【特許文献１】特開平８−６４３８号公報
【発明の概要】
【発明が解決しようとする課題】
【０００６】
しかしながら、特許文献１のドラムユニットでは、フランジ部材の一対の突起およびアース板の突起孔の寸法公差や幾何公差に起因して、一対の突起が対応する突起孔に挿通された状態において突起と突起孔との間に若干の隙間が形成される場合がある。そのような隙間が形成された状態で感光体ドラムが回転すると、アース板がフランジ部材の取付面に対して前記隙間の範囲内で動いてしまう。そのため、感光体ドラムの回転速度が一定せず、感光体ドラムがフレやすくなる。その結果、トナー像の色ずれ等の不都合が発生する。
【０００７】
そこで、本発明は、上記事情に鑑み、アース板をフランジ部材に固定して感光体ドラムのフレを抑制することが可能なドラムユニット、およびそれを備えた画像形成装置を提供することを目的とする。
【課題を解決するための手段】
【０００８】
上記目的を達成するために、本発明に係るドラムユニットは、筒状の感光体ドラムと、前記感光体ドラムに挿通されたドラムシャフトと、前記感光体ドラムの端部に嵌入可能な形状を有し、前記感光体ドラムが前記ドラムシャフトと一体回転するように前記感光体ドラムおよび前記ドラムシャフトを支持する支持部材と、前記支持部材における前記感光体ドラムの内部に向く取付部に取り付けられ、前記感光体ドラムと前記ドラムシャフトとを電気的に接続するアース板とを含み、前記支持部材の前記取付部には、前記アース板を位置決めするための位置決め突起と、前記位置決め突起の周囲に位置し、前記アース板を回り止めするための回り止め突起とが形成されており、前記アース板は、前記位置決め突起が挿通される位置決め孔と、前記回り止め突起が挿通される回り止め孔と、前記回り止め孔の縁部から前記回り止め突起に向かって傾斜して延び、その端部が前記回り止め突起に当接することで、前記回り止め突起を前記回り止め孔に固定する固定部材とを有する。
【０００９】
本発明に係るドラムユニットによれば、固定部材によって回り止め突起は回り止め孔に固定されているので、寸法公差や幾何公差に起因して回り止め突起と回り止め孔との間に隙間が形成されている場合であっても、感光体ドラムの回転中にアース板が支持部材の取付部に対して前記隙間の範囲内で動くことを抑制できる。これにより、感光体ドラムのフレ、ひいてはトナー像の色ずれ等の不都合を抑制することができる。
【００１０】
本発明の好ましい実施形態では、前記アース板は、前記取付部に取り付けられると共に、前記位置決め孔および前記回り止め孔を有する可撓性のアース板本体を有し、前記固定部材は、前記アース板本体に切れ目を入れて形成した一対の係止片であり、各係止片は、前記アース板本体と繋がった基端部と、前記基端部に対して持ち上げ可能な遊端部とを有しており、一方の係止片の遊端部と他方の係止片の遊端部とは、互いに対向しており、前記回り止め突起は、持ち上げられた状態の一方の前記遊端部と、持ち上げられた状態の他方の前記遊端部との間で、一方の前記遊端部および他方の前記遊端部が前記基端部と略同一の平面レベルに戻ろうとする復帰力によって挟まれている。
【００１１】
この構成によれば、一対の係止片の復帰力を利用して回り止め突起を一方の遊端部と他方の遊端部との間に挟みこむだけで、回り止め突起を回り止め孔に固定することができる。
【００１２】
本発明の他の好ましい実施形態では、前記アース板本体は、前記感光体ドラムの内周面に接触しない程度の寸法に設定された外周部を有しており、前記外周部には、該外周部から外方に突出して前記感光体ドラムの前記内周面に接触する爪部が突設されている。
【００１３】
本発明に係るドラムユニットでは、アース板が支持部材の取付部に対して動くことが抑制されているので、アース板の爪部が感光体ドラムの内周面に適正に接触した状態を維持することができる。
【００１４】
本発明に係る画像形成装置は、トナー像が形成される感光体ドラムを有するドラムユニットと、前記感光体ドラムにトナーを供給して該感光体ドラム上に前記トナー像を形成する現像装置とを含み、前記ドラムユニットとして、請求項１〜３のいずれか一項に記載のドラムユニットが用いられている。
【発明の効果】
【００１５】
本発明に係るドラムユニットおよびそれを備えた画像形成装置によれば、アース板をフランジ部材に固定して感光体ドラムのフレを抑制することが可能である。その結果、トナー像の色ずれ等の不都合を抑制することができる。
【図面の簡単な説明】
【００１６】
【図１】本発明の実施形態に係るドラムユニットが適用された画像形成装置の断面視の説明図である。
【図２】ドラムユニットの一部切り欠き分解斜視図である。
【図３】ドラムユニットの一部切り欠き組み立て斜視図である。
【図４】ドラムユニットのフランジ部材にアース板が取り付けられた状態を示す斜視図である。
【図５】図４のＶ−Ｖ線に沿って切断した断面図であり、一対の係止片によって回り止め突起が回り止め孔に固定された状態を示している。
【図６】一対の係止片によって回り止め突起が回り止め孔に固定された状態を示す平面図である。
【発明を実施するための形態】
【００１７】
まず、本発明の実施形態に係るドラムユニットが適用された画像形成装置について説明する。図１は、ドラムユニットが適用された画像形成装置の一実施形態を示す断面視の説明図である。図１に示すように、画像形成装置１０は、例えば複写機として使用されるものであって、胴内排紙型と称される箱形を呈した装置本体１１と、装置本体１１の上部に設けられた、原稿画像を読み取る画像読取部１６とを含む。
【００１８】
画像読取部１６は、外装カバー体１７０の内部に装着された画像読取装置１７と、外装カバー体１７０の上部に配置された原稿自動供給装置１８とを含む。
【００１９】
一方、装置本体１１には、画像読取装置１７によって読み取られた原稿の画像データに基づき画像を形成する画像形成部１２と、画像形成部１２によって形成され、用紙Ｐに転写された画像に定着処理を施す定着部１３と、転写用の用紙Ｐを貯留する用紙貯留部１４とが内装されている。装置本体１１の頂部には、排出された定着処理後の用紙Ｐを受ける胴内排紙トレイ１５１を有する排紙部１５が設けられている。
【００２０】
原稿自動供給装置１８は、画像読取装置１７の上面開口に嵌め込まれたコンタクトガラス１８０を覆う原稿押えカバー１８１と、原稿押えカバー１８１上に配置された原稿送り込み部１８２と、原稿送り込み部１８２に延設された給紙トレイ１８３とを含む。
【００２１】
原稿送り込み部１８２は、画像読取装置１７による原稿面の読み取りのために、給紙トレイ１８３に載置された原稿束から原稿を１枚ずつコンタクトガラス１８０上に供給する。原稿画像の読み取りが完了した原稿は、原稿押えカバー１８１上に排出される。画像読取部１６で読み取られた原稿の画像データは、電気信号に変換され、その変換された電気信号は、画像形成部１２へ向けて出力される。
【００２２】
画像読取装置１７は、箱形を呈した筐体１７１と、図１では左右方向に往復移動可能に筐体１７１に内装され、かつ、原稿面に光を照射してその反射光を得る読取ユニット１７２と、読取ユニット１７２からの反射光を集光して画像データとして取り込むＣＣＤユニット１７３とを含む。読み取られた画像データは、ディジタル信号に変換された後、後述の露光装置１２３へ向けて出力される。
【００２３】
画像形成部１２は、用紙貯留部１４から給紙された用紙にトナー像を形成するものであって、上流側（図１では右側）から下流側（図１では左側）へ向けて順次配設されたマゼンタ用ユニット１２Ｍと、シアン用ユニット１２Ｃと、イエロー用ユニット１２Ｙと、ブラック用ユニット１２Ｋとを含む。
【００２４】
各ユニット１２Ｍ，１２Ｃ，１２Ｙ，１２Ｋは、感光体ドラム３０を有するドラムユニット２０と、現像装置１２１とを含む。ドラムユニット２０の感光体ドラム３０は、図１では反時計方向に回転しつつ対応する現像装置１２１からトナーの供給を受けて、その周面にトナー像を形成する。
【００２５】
各感光体ドラム３０の直下位置には帯電器１２２が設けられていると共に、各帯電器１２２の下方位置には露光装置１２３が設けられている。各感光体ドラム３０は、その周面が帯電器１２２によって一様に帯電される。露光装置１２３は、画像読取部１６で入力された画像データに基づき、各色Ｍ、Ｃ、Ｙ、Ｋに対応したレーザー光を、感光体ドラム３０の帯電した周面に照射する。これにより、各感光体ドラム３０の周面に静電潜像が形成される。各感光体ドラム３０の周面上の静電潜像に現像装置１２１からトナーが供給されると、各感光体ドラム３０の周面にトナー像が形成される。
【００２６】
感光体ドラム３０の上方位置には、該感光体ドラム３０に接触するように駆動ローラ１２４ａおよび従動ローラ１２４ｂ間に張設された転写ベルト１２４が設けられている。転写ベルト１２４は、各感光体ドラム３０に対応して設けられた転写ローラ１２５によって感光体ドラム３０の周面に押し付けられた状態で、各感光体ドラム３０の回転と同期しながら駆動ローラ１２４ａと従動ローラ１２４ｂとの間を周回する。
【００２７】
転写ベルト１２４が周回すると、転写ベルト１２４の表面に、マゼンタ用ユニット１２Ｍの感光体ドラム３０によってマゼンタのトナー像の転写が行なわれる。以下、マゼンタトナー像の上に、順次、シアン用ユニット１２Ｃの感光体ドラム３０によってシアンのトナー像、イエロー用ユニット１２Ｙの感光体ドラム３０によってイエローのトナー像、最後にブラック用ユニット１２Ｋの感光体ドラム３０によってブラックのトナー像が重ね塗りされる。これにより、転写ベルト１２４の表面にカラーのトナー像が形成され、このカラートナー像は、用紙貯留部１４から搬送されてきた用紙Ｐに転写される。
【００２８】
画像形成部１２の左方位置には、上下方向に延びる用紙搬送路１１１が形成されている。用紙搬送路１１１には、搬送ローラ対１１２が設けられていると共に、転写ローラ１２４ａと対向した位置に転写ベルト１２４の表面と当接した第２転写ローラ１１３が設けられている。用紙貯留部１４からの用紙Ｐは、搬送ローラ対１１２の回転によって転写ベルト１２４と第２転写ローラ１１３との間のニップ部へ向けて搬送される。用紙Ｐは、転写ベルト１２４と第２転写ローラ１１３との間で押圧挟持されることにより、転写ベルト１２４上のトナー像が用紙Ｐに転写される。
【００２９】
用紙貯留部１４は、露光装置１２３の下方位置で挿脱自在に装着された用紙トレイ１４１を有している。用紙トレイ１４１には、積載された用紙Ｐからなる用紙束が貯留される。用紙Ｐは、ピックアップローラ１４２によって用紙束から１枚ずつ繰り出されて用紙搬送路１１１へ導入される。
【００３０】
定着部１３は、用紙Ｐに転写されたトナー像に対し定着処理を施すものであって、加熱源である通電発熱体を有する定着ローラ１３１と、定着ローラ１３１と対向配置された加圧ローラ１３２とを含む。転写処理済の用紙Ｐは、定着ローラ１３１および加圧ローラ１３２間に押圧挟持されつつ定着ローラ１３１による熱処理で加熱される。これにより、用紙Ｐ上にトナー像が定着され、用紙Ｐに安定した状態のカラー画像が形成される。
【００３１】
定着処理の完了したカラー印刷済みの用紙Ｐは、定着部１３の上部から延設された排紙搬送路１１４を通って胴内排紙トレイ１５１へ向けて排出される。
【００３２】
以下、図２および図３を参照しながらドラムユニットについて説明する。図２は、ドラムユニットの一部切り欠き分解斜視図であり、図３は、ドラムユニットの一部切り欠き組み立て斜視図である。なお、図２および図３では、感光体ドラム３０の厚み寸法を誇張して示している。
【００３３】
図２および図３に示すように、ドラムユニット２０は、周面に静電潜像やトナー像が形成される筒状の感光体ドラム３０と、感光体ドラム３０の一方の端部（図２では左端部）の開口に嵌入されるフランジ部材４０（支持部材）と、感光体ドラム３０の他方の端部（図２では右端部）の開口に嵌入される軸支円板６０と、フランジ部材４０および軸支円板６０に同心でフランジ部材４０および軸支円板６０と一体回転可能に貫通されたドラムシャフト７０とを含む。
【００３４】
感光体ドラム３０は、アルミニウムまたはアルミニウム合金製の金属素管３１と、金属素管３１の外周面の全面に積層された有機感光層３２と、金属素管３１の内周面の全面に積層された絶縁被膜３３とを有する。金属素管３１は、厚み寸法が数ｍｍであるのに対し、有機感光層３２および絶縁被膜３３は、数μｍ〜数１０μｍと極めて薄く形成されている。
【００３５】
有機感光層３２は、電荷輸送剤、電荷発生剤、および結着樹脂（バインダー樹脂）等の有機感光体材料によって形成される。有機感光体には、主として単層型感光体と積層型感光体とがあるが、特に正負いずれの帯電型感光体に使用できること、構造が簡単であって、製造が容易であること、感光体層を形成する際の被膜欠陥を効果的に抑制できること、層間の界面が少なく、光学的特性を向上させやすい等の理由から、単層型感光体が好ましい。
【００３６】
絶縁被膜３３は、金属素管３１に電流が流れて微小な放電破壊（リーク）が発生し、それが原因でトナー像が画像黒点となるのを防ぐため、および防錆のためのものである。絶縁被膜３３は、本実施形態においては、アルミニウムの酸化被膜（Ａｌ２Ｏ３）によって形成されている。絶縁被膜３３は、電解液としてシュウ酸、硫酸あるいはクロム酸水溶液を用い、金属素管３１の内周面側に陽極酸化処理を施すことにより得ることができる。
【００３７】
フランジ部材４０は、感光体ドラム３０の左端部の開口に嵌入可能な形状を有する筒状の本体部４１と、筒状本体部４１における感光体ドラム３０の軸方向外方に向く面に一体に形成されたフランジ４３とを有する。筒状本体部４１およびフランジ４３には、それらを同心で貫通すると共に、感光体ドラム３０と同心に設定された挿通孔４４が形成されている。フランジ部材４０については後でさらに詳述する。
【００３８】
軸支円板６０は、感光体ドラム３０の右端部の開口を閉止するためのものである。軸支円板６０は、感光体ドラム３０の内径寸法より僅かに大きい外径寸法を有する円筒状の円板本体６１と、円板本体６１の一方の端部（図２では右端部）に同心で形成されたフランジ６２とを有する。フランジ６２は、外径寸法が感光体ドラム３０の外径寸法と等しく設定されている。
【００３９】
軸支円板６０の円板本体６１の外径寸法は、感光体ドラム３０の内径寸法より数μｍ〜数１０μｍ大きく設定されている。従って、円板本体６１を感光体ドラム３０に圧入することで、軸支円板６０が感光体ドラム３０に固定される。また、軸支円板６０には、感光体ドラム３０と同心に設定された軸孔６３が貫設されている。
【００４０】
ドラムシャフト７０は、感光体ドラム３０と一体回転可能に感光体ドラム３０に装着されるものであって、大径軸７１と、大径軸７１の両端部から同心で互いに反対方向に向けて突設された一対の小径軸７２とからなる。
【００４１】
大径軸７１は、フランジ部材４０の筒状本体部４１および軸支円板６０が感光体ドラム３０に装着された状態において、感光体ドラム３０と同心で感光体ドラム３０内に延在する。
【００４２】
これに対し、一方の小径軸７２（図２では左側）は、フランジ部材４０の挿通孔４４に挿通されてフランジ４３側から外部に突出している。他方の小径軸７２（図２では右側）は、軸支円板６０の軸孔６３に挿通されてフランジ６２側から外部に突出している。
【００４３】
上記したように、フランジ部材４０の筒状本体部４１が感光体ドラム３０の左端部の開口に嵌入されると共に、軸支円板６０が感光体ドラム３０の右端部の開口に嵌入されることで、かつ、ドラムシャフト７０がフランジ部材４０および軸支円板６０によって支持されることで、感光体ドラム３０はドラムシャフト７０と一体回転する。装置本体１１内の適所に配置された図略のモータの駆動力が例えば右側の小径軸７２に伝達されることで、ドラムシャフト７０、ひいては感光体ドラム３０が回転する。また、左側の小径軸７２は、装置本体１１内の適所に配置された図略のベアリングによって回転可能に支持されている。
【００４４】
上記構成のドラムユニット２０では、感光体ドラム３０とドラムシャフト７０とを電気的に接続するためにアース板５０を用いている。図４はアース板５０が取り付けられた状態を示す斜視図である。アース板５０は、図４に示すように、フランジ部材４０に取り付けられている。
【００４５】
フランジ部材４０は、上述したように筒状本体部４１とフランジ４３とを有する。筒状本体部４１は、筒状の嵌入部４５と、アース板５０が取り付けられる取付部４６とを有する。
【００４６】
嵌入部４５は、フランジ４３よりも小径に設定された部分であり、嵌入部４５とフランジ４３との間には段差部４７が形成されている。嵌入部４５の外形寸法は、感光体ドラム３０の内径寸法より数μｍ〜数１０μｍ大きく設定されている。したがって、嵌入部４５を感光体ドラム３０に圧入することで、フランジ部材４０が感光体ドラム３０に固定される。嵌入部４５が圧入された状態では、段差部４７は感光体ドラム３０の端面に当接している。
【００４７】
取付部４６は、嵌入部４５よりも小径に設定され、嵌入部４５の内側に位置する筒状の部分であって、感光体ドラム３０と同心でフランジ部材４０の軸方向（つまり、感光体ドラム３０の軸方向）に突出する筒状のボス４２（位置決め突起）を一体に有している。筒状ボス４２は、ドラムシャフト７０が挿通される挿通孔４４の一部を構成する孔を有している。
【００４８】
取付部４６は、筒状ボス４２の周囲に配置された複数の突起４８，４９をさらに有する。突起４８は、筒状ボス４２を挟んで一対設けられており、位置決め突起として構成されている。一方、突起４９は、筒状ボス４２を挟んで一対設けられており、回り止め突起として構成されている。突起４８および回り止め突起４９も、筒状ボス４２と同様に、フランジ部材４０の軸方向に突出している。また、突起４８および回り止め突起４９は、筒状ボス４２を中心に、取付部４６の周方向に、つまり、感光体ドラム３０の回転方向に互いに等間隔で位置している。
【００４９】
アース板５０は、可撓性を備えた、例えばステンレススチールや真鍮等の金属材料から形成された板状部材であって、アース板本体５１と、アース板本体５１に突設された複数の爪部５２と、アース板本体５１に突設された一対の接続片５３とを有する。
【００５０】
アース板本体５１は、嵌入部４５よりも小径に設定された外形寸法を有する円形の部分であって、その中心位置に、取付部４６の筒状ボス４２が挿通可能な第１位置決め孔６５が形成されている。また、アース板本体５１には、第１位置決め孔６５を挟んで一対の第２位置決め孔６６と、第１位置決め孔６５を挟んで一対の回り止め孔６７とが形成されている。第２位置決め孔６６および回り止め孔６７は、第１位置決め孔６５を中心に互いに等間隔で位置している。
【００５１】
アース板本体５１は、第１位置決め孔６５に筒状ボス４２が挿通されると共に、第２位置決め孔６６に突起４８が挿通されることで取付部４６に対して位置決めがなされる。また、アース板本体５１は、回り止め孔６７に対応する回り止め突起４９が挿通されることで取付部４６に対して回り止めがなされている。
【００５２】
爪部５２は、アース板本体５１が感光体ドラム３０内に位置した状態でアースのために金属素管３１との間で電気的な接続状態を得るためのものであって、アース板本体５１の外周部５１ａから径方向外方に複数が突出している。爪部５２は、例えば、アース板本体５１の外周部５１ａに沿って互いに等間隔で位置している。また、各爪部５２は、アース板本体５１の外周部５１ａを底辺とした略二等辺三角形状に形成されており、その先端は先鋭端とされている。さらに、各爪部５２は、アース板本体５１に対して傾斜した状態でフランジ部材４０の感光体ドラム３０への嵌入方向とは反対の方向に延びている。
【００５３】
各爪部５２のアース板本体５１からの突出量は、フランジ部材４０を感光体ドラム３０に嵌入したときに、先端が感光体ドラム３０の絶縁皮膜３３と干渉して絶縁被膜３３を削って金属素管３１に到達し得るように設定されている。爪部５２の先端が絶縁皮膜３３を削ることで、爪部５２、ひいてはアース板本体５１が感光体ドラム３０と電気的に接続された状態となる。なお、アース板本体５１の外周部５１ａは、感光体ドラム３０の内周面に接触しない程度の寸法に設定されている。
【００５４】
一対の接続片５３は、アース板本体５１の外周部５１ａから立ち上がり、挿通孔４４に挿通されたドラムシャフト７０に向かって延びる細長片である。なお、図４では、図の簡略化のためにドラムシャフト７０を省略している。一対の接続片５３は、アース板本体５１の外周部５１ａにおける対向する位置から延びているため、それらの先端部はドラムシャフト７０を挟み込むようにしてドラムシャフト７０に接触している。これにより、感光体ドラム３０はアース板５０を介してドラムシャフト７０と電気的に接続されている。
【００５５】
上記した感光体ドラム３０およびドラムシャフト７０間の電気的接続により、有機感光層３２内で発生した電荷は、アース板５０の爪部５２、アース板本体５１、接続片５３およびドラムシャフト７０の順に通ってアースされる。
【００５６】
本実施形態では、上記した構成のアース板５０に、感光体ドラム３０の回転方向においてフランジ部材４０の回り止め突起４９を回り止め孔６７に固定するための固定部材８０をさらに設けている。固定部材８０は、アース板本体５１に切り目を入れて形成した一対の係止片から構成されている。
【００５７】
各係止片８０は、図４に示すように、基端部８１と、遊端部８２とからなる。基端部８１は、回り止め孔６７の縁部においてアース板本体５１と一体に繋がっていると共に、アース板本体５１の略周方向、つまり感光体ドラム３０の略周方向において回り止め突起４９に対向している。また、一方の係止片８０の基端部８１と他方の係止片８０の基端部８１とは回り止め突起４９を挟んで互いに対向している。
【００５８】
遊端部８２は、基端部８１からアース板本体５１の略周方向に延び、基端部８１と同一の平面レベルから基端部８１に対して持ち上げ可能な細片部である。一方の係止片８０の遊端部８２と他方の係止片８０の遊端部８２とは回り止め突起４９を挟んで互いに対向している。係止片８０は可撓性の材料から形成されているので、遊端部８２は、持ち上げられた場合、持ち上げられた状態から自身の復帰力によって基端部と同一の平面レベル、つまり元の位置に戻る特性を有する。
【００５９】
図５は、図４のＶ−Ｖ線に沿って切断した断面図であり、一対の係止片８０によって回り止め突起４９が回り止め孔６７に固定された状態を示しており、図６は、一対の係止片８０によって回り止め突起４９が回り止め孔６７に固定された状態を示す平面図である。
【００６０】
図４および図５に示すように、回り止め突起４９によって持ち上げられた状態の一方（右側）の遊端部８２は、右方から左方に回り止め突起４９に向かって傾斜して延び、その先端８２ａが回り止め突起４９に当接している。また、回り止め突起４９によって持ち上げられた状態の他方（左側）の遊端部８２は、左方から右方に回り止め突起４９に向かって傾斜して延び、その先端８２ａが回り止め突起４９に当接している。各遊端部８２の先端８２ａは、回り止め突起４９の周面と一致する湾曲形状を有している。
【００６１】
このような状態において、右側の遊端部８２は、基端部８１と略同一の平面レベルに戻ろうとする復帰力を回り止め突起４９に対して左斜め下方に作用させている。一方、左側の遊端部８２は、基端部８１と略同一の平面レベルに戻ろうとする復帰力を回り止め突起４９に対して右斜め下方に作用させている。そのため、回り止め突起４９は、一対の遊端部８２間で挟まれた状態となっている。これにより、回り止め突起４９は回り止め孔６７に固定されている。
【００６２】
なお、図４は、一方の係止片８０と他方の係止片８０とをアース板本体５１の略周方向に対向させた構成を示しているが、これに限定されず、一方の係止片８０と他方の係止片８０とをアース板本体５１の径方向に対向させてもよい。
【００６３】
以上説明した本実施形態に係るドラムユニット２０によれば、固定部材８０である一対の係止片８０によって回り止め突起４９は対応する回り止め孔６７に固定されているので、寸法公差や幾何公差に起因して回り止め突起４９と回り止め孔６７との間に若干の隙間Ｇ（図６）が形成されている場合であっても、感光体ドラム３０の回転中にアース板５０がフランジ部材４０の取付部４６に対して隙間Ｇの範囲内で動くことを抑制できる。これにより、感光体ドラム３０のフレ、ひいてはトナー像の色ずれ等の不都合を抑制することができる。なお、図６では、隙間Ｇを誇張して示している。
【００６４】
また、一対の係止片８０の復帰力を利用して回り止め突起４９を一方の遊端部８２と他方の遊端部８２との間に挟みこむだけで、回り止め突起４９を回り止め孔６７に固定しているので、ドラムユニット２０の構造が複雑化しない。
【００６５】
さらに、アース板５０がフランジ部材４０の取付部４６に対して動くことが抑制されているので、アース板５０の爪部５２が感光体ドラム３０の金属素管３１に適正に接触した状態を維持することができる。これにより、感光体ドラム３０のアースが円滑に行われる。
【符号の説明】
【００６６】
１０  画像形成装置
２０  ドラムユニット
３０  感光体ドラム
４０  フランジ部材（支持部材）
４２  筒状ボス（位置決め突起）
４８  突起
４９  回り止め突起
５０  アース板
５１  アース板本体
５２  爪部
６５  第１位置決め孔
６６  第２位置決め孔
６７  回り止め孔
７０  ドラムシャフト
８０  係止片（固定部材）
８１  基端部
８２  遊端部
８２ａ  先端
【図１】
2011197541.tif 000003
【図２】
2011197541.tif 000004
【図３】
2011197541.tif 000005
【図４】
2011197541.tif 000006
【図５】
2011197541.tif 000007
【図６】
2011197541.tif 000008